(57)【要約】【課題】エレベータでの相乗りを拒む人および許容する人の双方に要望に応じることが可能なエレベータ運行管理システムおよびエレベータ運行管理方法を提供する。【解決手段】追加登録制御部１０ｂ４は、相乗可否情報が相乗り可を表す予約情報に相乗り用の停止階を追加する旨の相乗情報を受け付けた場合、その予約情報にその停止階を追加する。また、追加登録制御部１０ｂ４は、予約情報格納部１０ａ２内の予約情報に対して、その予約情報が含む相乗許容数だけ相乗情報を受け付け、その予約情報に、その受け付けた相乗情報が示す停止階を追加する。【選択図】図１
2008174319.tif 000002
【特許請求の範囲】
【請求項１】
複数の端末と接続可能なエレベータ運行管理システムであって、
相乗り可または相乗り否を表す可否情報と、利用日時と、出発階と、到着階と、を含む予約情報を格納するための格納部と、
前記複数の端末のいずれかから、前記予約情報を受け付けた場合、当該予約情報を前記格納部に格納する予約登録部と、
前記複数の端末のいずれかから、前記可否情報が相乗り可を表す前記格納部内の予約情報に、相乗り用の停止階を追加する旨の相乗情報を受け付けた場合、当該予約情報に当該停止階を追加する追加登録制御部と、
前記格納部内の予約情報に基づいて前記エレベータを運用するエレベータ制御部と、を含むエレベータ運行管理システム。
【請求項２】
請求項１に記載のエレベータ運行管理システムにおいて、
前記予約情報は、相乗りの許容数を含み、
前記追加登録制御部は、前記格納部内の予約情報に対して、当該予約情報が含む前記相乗りの許容数まで、前記相乗情報を受け付け、当該予約情報に、前記受け付けた相乗情報が示す停止階を追加する、エレベータ運行管理システム。
【請求項３】
請求項１または２に記載のエレベータ運行管理システムにおいて、
前記予約情報は、当該予約情報を入力したユーザを識別するための識別情報を含み、
前記相乗情報は、当該相乗情報を入力したユーザを識別するための識別情報を含み、
前記追加登録制御部は、前記相乗情報に含まれる識別情報も前記予約情報に追加し、
前記予約情報内の識別情報にて識別されるユーザに、当該予約に対する課金を行う課金部を、さらに含むエレベータ運行管理システム。
【請求項４】
請求項３に記載のエレベータ運行管理システムにおいて、
前記課金部は、個々の前記予約情報に対して一定の料金を課す、エレベータ運行管理システム。
【請求項５】
相乗り可または相乗り否を表す可否情報と利用日時と出発階と到着階とを含む予約情報を格納するための格納部を含み、複数の端末と接続可能なエレベータ運行管理システムが行うエレベータ運行管理方法であって、
前記複数の端末のいずれかから、前記予約情報を受け付けた場合、当該予約情報を前記格納部に格納する予約登録ステップと、
前記複数の端末のいずれかから、前記可否情報が相乗り可を表す前記格納部内の予約情報に、相乗り用の停止階を追加する旨の相乗情報を受け付けた場合、当該予約情報に当該停止階を追加する追加登録制御ステップと、
前記格納部内の予約情報に基づいて前記エレベータを運用するエレベータ制御ステップと、を含むエレベータ運行管理方法。
【請求項６】
請求項５に記載のエレベータ運行管理方法において、
前記予約情報は、相乗りの許容数を含み、
前記追加登録制御ステップでは、前記格納部内の予約情報に対して、当該予約情報が含む前記相乗りの許容数まで、前記相乗情報を受け付け、当該予約情報に、前記受け付けた相乗情報が示す停止階を追加する、エレベータ運行管理方法。
【請求項７】
請求項５または６に記載のエレベータ運行管理方法において、
前記予約情報は、当該予約情報を入力したユーザを識別するための識別情報を含み、
前記相乗情報は、当該相乗情報を入力したユーザを識別するための識別情報を含み、
前記追加登録制御ステップでは、前記相乗情報に含まれる識別情報も前記予約情報に追加し、
前記予約情報内の識別情報にて識別されるユーザに、当該予約に対する課金を行う課金ステップを、さらに含むエレベータ運行管理方法。
【請求項８】
請求項７に記載のエレベータ運行管理方法において、
前記課金ステップでは、個々の前記予約情報に対して一定の料金を課す、エレベータ運行管理方法。
【発明の詳細な説明】
【技術分野】
【０００１】
本発明は、エレベータ運行管理システムおよびエレベータ運行管理方法に関し、特には、エレベータ利用の予約を受け付け、その予約に基づいてエレベータの運行を管理するエレベータ運行管理システムおよびエレベータ運行管理方法に関する。
【背景技術】
【０００２】
マンションの超高層化が進むと、マンション内のエレベータは、構内移動の乗り物から重要な交通網として意識されるようになる。
【０００３】
特許文献１（特開２００５−１００１５３号公報）には、エレベータの利用を有料化し、エレベータの利用を予約可能な昇降機運転サービス課金システムが記載されている。
【０００４】
この昇降機運転サービス課金システムは、予約された日時になると、予約された出発階へエレベータを直行させ、予約者を認証した後、予約者がエレベータに搭乗したこと確認したら、予約された到着階にエレベータを直行させる。
【０００５】
この昇降機運転サービス課金システムでは、エレベータ利用の予約状況および予約手続きが、ＷＥＢ上で管理・公開される。
【特許文献１】特開２００５−１００１５３号公報
【発明の開示】
【発明が解決しようとする課題】
【０００６】
エレベータの利用者の中には、エレベータでの相乗りを許容する人もいれば、エレベータでの相乗りを拒む人もいる。例えば、セキュリティに関する意識の高い人は、エレベータでの相乗りを拒む可能性が高い。
【０００７】
特許文献１に記載の昇降機運転サービス課金システムでは、エレベータでの相乗りを拒む人の要望には応えることができるが、エレベータでの相乗りを許容する人の要望には応えることができない。
【０００８】
エレベータでの相乗りを拒む人の要望にのみ応えると、エレベータの運用が滞ってしまう可能性がある。このため、エレベータでの相乗りを許容する人の要望にも応えることが可能なエレベータ運行管理システムが望まれている。
【０００９】
本発明の目的は、エレベータでの相乗りを拒む人および許容する人の双方に要望に応じることが可能なエレベータ運行管理システムおよびエレベータ運行管理方法を提供することである。
【課題を解決するための手段】
【００１０】
上記目的を達成するために、本発明のエレベータ運行管理システムは、複数の端末と接続可能なエレベータ運行管理システムであって、相乗り可または相乗り否を表す可否情報と、利用日時と、出発階と、到着階と、を含む予約情報を格納するための格納部と、前記複数の端末のいずれかから、前記予約情報を受け付けた場合、当該予約情報を前記格納部に格納する予約登録部と、前記複数の端末のいずれかから、前記可否情報が相乗り可を表す前記格納部内の予約情報に、相乗り用の停止階を追加する旨の相乗情報を受け付けた場合、当該予約情報に当該停止階を追加する追加登録制御部と、前記格納部内の予約情報に基づいて前記エレベータを運用するエレベータ制御部と、を含む。
【００１１】
また、本発明のエレベータ運行管理方法は、相乗り可または相乗り否を表す可否情報と利用日時と出発階と到着階とを含む予約情報を格納するための格納部を含み、複数の端末と接続可能なエレベータ運行管理システムが行うエレベータ運行管理方法であって、前記複数の端末のいずれかから、前記予約情報を受け付けた場合、当該予約情報を前記格納部に格納する予約登録ステップと、前記複数の端末のいずれかから、前記可否情報が相乗り可を表す前記格納部内の予約情報に、相乗り用の停止階を追加する旨の相乗情報を受け付けた場合、当該予約情報に当該停止階を追加する追加登録制御ステップと、前記格納部内の予約情報に基づいて前記エレベータを運用するエレベータ制御ステップと、を含む。
【００１２】
上記発明によれば、可否情報が相乗り可を表す予約情報に相乗り用の停止階を追加する旨の相乗情報が受け付けられた場合、その予約情報にその停止階が追加される。
【００１３】
このため、エレベータでの相乗りを許容する人は、相乗り可を表す可否情報を設定すれば、相乗りが許容され、一方、エレベータでの相乗りを拒む人は、相乗り否を表す可否情報を設定すれば、相乗りが禁止される。よって、エレベータでの相乗りを拒む人および許容する人の双方に要望に応じることが可能になる。
【００１４】
なお、前記予約情報は、相乗りの許容数を含み、前記追加登録制御部は、前記格納部内の予約情報に対して、当該予約情報が含む前記相乗りの許容数まで、前記相乗情報を受け付け、当該予約情報に、前記受け付けた相乗情報が示す停止階を追加することが望ましい。
【００１５】
上記発明によれば、相乗りの許容数を制限でき、予約情報を入力したユーザの細かい要望にも応えることが可能になる。
【００１６】
また、前記予約情報は、当該予約情報を入力したユーザを識別するための識別情報を含み、前記相乗情報は、当該相乗情報を入力したユーザを識別するための識別情報を含み、前記追加登録制御部は、前記相乗情報に含まれる識別情報も前記予約情報に追加し、前記予約情報内の識別情報にて識別されるユーザに、当該予約に対する課金を行う課金部を、さらに含むことが望ましい。
【００１７】
上記発明によれば、予約に対する料金を、その予約に基づいてエレベータを利用するユーザに課すことが可能になる。
【００１８】
また、前記課金部は、個々の前記予約情報に対して一定の料金を課すことが望ましい。
【００１９】
上記発明によれば、相乗りを行うユーザの料金を、相乗りを行わないユーザより低くすることが可能になり、エレベータの効率的な運用に貢献する相乗りのユーザを料金面で優遇することが可能になる。
【発明の効果】
【００２０】
本発明によれば、エレベータでの相乗りを拒む人および許容する人の双方に要望に応じることが可能になる。
【発明を実施するための最良の形態】
【００２１】
以下、本発明の実施例を図面を参照して説明する。
【００２２】
図１は、本発明の一実施例のエレベータ予約システムを示したブロック図である。以下では、エレベータ予約システムが、超高層マンションのエレベータ予約システムとして適用される例を示す。なお、本エレベータ予約システムは、超高層マンションでの運用に限るものではない。
【００２３】
図１において、超高層マンションのエレベータ予約システムは、エレベータ運用管理サーバ１０、エレベータ制御装置１１、エレベータ１２〜１３、顧客端末（ＰＣ）２０〜２４、および、顧客携帯端末３０〜３１を含む。各装置は、ビル構内ＬＡＮ１００、インターネット２００、移動体通信網３００に接続されている。
【００２４】
なお、エレベータの台数は２台に限らず適宜変更可能である。また、顧客端末の数も５台に限らず適宜変更可能であり、顧客携帯端末の数も２台に限らず適宜変更可能である。
【００２５】
エレベータ予約システムは、顧客端末２０〜２４および顧客携帯端末３０〜３１等の端末（以下、単に「端末」と称する。）からのエレベータの予約情報に基づいて、エレベータ１２〜１３の動作を制御する。
【００２６】
エレベータ運用管理サーバ１０は、エレベータ運行情報、顧客情報および予約情報を管理し、また、認証サーバ機能およびＷＥＢサーバ機能を有する。
【００２７】
エレベータ運用管理サーバ１０は、格納部１０ａと、制御部１０ｂとを含む。
【００２８】
格納部１０ａは、例えば、メモリであり、コンピュータにて読み取り可能な記録媒体である。
【００２９】
格納部１０ａは、顧客情報格納部１０ａ１と、予約情報格納部１０ａ２と、課金情報格納部１０ａ３と、プログラム格納部１０ａ４と、を含む。
【００３０】
顧客情報格納部１０ａ１は、エレベータ予約システムの顧客情報を格納する。
【００３１】
図２は、顧客情報格納部１０ａ１に格納された顧客情報の一例を示した説明図である。
【００３２】
図２において、顧客情報格納部１０ａ１には、顧客ごとに、顧客の氏名２ａ、認証ＩＤ（識別情報）２ｂ、および、ＰＡＳＳＷＤ（パスワード）２ｃが格納される。
【００３３】
図１に戻って、予約情報格納部１０ａ２は、端末からの予約情報を格納する。端末から提供される予約情報は、エレベータ識別情報と、利用日時と、出発階と、到着階と、相乗り可または相乗り否を表す相乗可否情報と、相乗許容数と、予約情報を入力した顧客（ユーザ）の認証ＩＤと、を含む。
【００３４】
図３は、予約情報格納部１０ａ２に格納された予約情報の一例を示した説明図である。
【００３５】
図３において、予約情報格納部１０ａ２には、エレベータ識別情報３ａと、利用日時３ｂと、出発階３ｃと、到着階３ｄと、相乗可否情報３ｅと、相乗許容数３ｆと、認証ＩＤ３ｇと、停止階３ｈと、認証ＩＤ３ｉと、を含む予約情報が格納される。
【００３６】
エレベータ識別情報３ａと、利用日時３ｂと、出発階３ｃと、到着階３ｄと、相乗可否情報３ｅと、相乗許容数３ｆと、認証ＩＤ３ｇは、端末からの予約情報に含まれる情報である。
【００３７】
停止階３ｈと、認証ＩＤ３ｉは、相乗り用の停止階を追加する旨の相乗情報が受け付けられた場合に追加される。なお、認証ＩＤ３ｉは、相乗情報を入力した顧客（ユーザ）の認証ＩＤである。また、停止階３ｈと、認証ＩＤ３ｉは、相乗許容数３ｆにて示される数まで、追加可能である。
【００３８】
図１に戻って、課金情報格納部１０ａ３は、顧客の課金情報を格納する。
【００３９】
図４は、課金情報格納部１０ａ３に格納された情報の一例を示した説明図である。
【００４０】
図４において、課金情報格納部１０ａ３には、顧客の認証ＩＤごとに、利用数と、課金情報（利用料）とが格納される。
【００４１】
プログラム格納部１０ａ４は、エレベータ運用管理サーバ１０の動作を規定する動作プログラムを格納（記録）する。
【００４２】
制御部１０ｂは、コンピュータの一例であるＣＰＵであり、プログラム格納部１０ａ４に格納（記録）された動作プログラムを読み取り実行して種々の機能を実現する。例えば、制御部１０ｂは、動作プログラムを実行して、認証部１０ｂ１と、予約状況提供部１０ｂ２と、予約登録部１０ｂ３と、追加登録制御部１０ｂ４と、課金部１０ｂ５と、利用状況確認部１０ｂ６と、転送部１０ｂ７と、を実現する。
【００４３】
認証部１０ｂ１は、顧客（顧客が使用している端末）を認証する。
【００４４】
予約状況提供部１０ｂ２は、認証部１０ｂ１にて認証された端末から、予約画面要求を受け付けた場合、予約情報格納部１０ａ２内の予約情報を表す画面を、その端末に提供する。
【００４５】
予約登録部１０ｂ３は、認証部１０ｂ１にて認証された端末から、予約情報を受け付けた場合、その予約情報を予約情報格納部１０ａ２に格納する。
【００４６】
追加登録制御部１０ｂ４は、認証部１０ｂ１にて認証された端末から、相乗り可否情報３ｅが相乗り可を表す予約情報格納部１０ａ２内の予約情報に、相乗り用の停止階を追加する旨の相乗情報を受け付けた場合、その予約情報にその停止階を追加する。
【００４７】
また、追加登録制御部１０ｂ４は、予約情報格納部１０ａ２内の予約情報に対して、その予約情報が含む相乗許容数だけ相乗情報を受け付け、その予約情報に、その受け付けた相乗情報が示す停止階を追加する。
【００４８】
なお、相乗情報には、相乗情報を入力した顧客の認証ＩＤも含まれ、追加登録制御部１０ｂ４は、その認証ＩＤも、予約情報に追加する。
【００４９】
課金部１０ｂ５は、予約情報格納部１０ａ２に格納されている予約情報内の認証ＩＤにて識別される顧客に、予約に対する課金を行う。課金部１０ｂ５は、その課金の情報を課金情報格納部１０ａ３に格納する。
【００５０】
利用状況確認部１０ｂ６は、認証部１０ｂ１にて認証された端末に、その端末のユーザ（顧客）の利用数と課金情報を提供する。
【００５１】
転送部１０ｂ７は、予約情報格納部１０ａ２に格納された予約情報を運行情報としてエレベータ制御装置１１に転送する。
【００５２】
エレベータ制御装置１１は、エレベータ制御部の一例であり、エレベータ運用管理サーバ１０からの運行情報に基づいて、エレベータ１２〜１３の動作を制御する。
【００５３】
エレベータ１２〜１３は、非接触ＩＣカードリーダ４０を搭載している。
【００５４】
顧客端末２０〜２４は、例えばパーソナルコンピュータで、ＷＥＢブラウザが使用でき、マンション住人の所有品である。
【００５５】
顧客携帯端末３０〜３１は、例えばＷＥＢブラウザ機能付携帯電話であり、マンション住人の所有品である。
【００５６】
ビル構内ＬＡＮ１００は、超高層マンション内のローカルエリアネットワークであり、インターネット２００にも接続されている。インターネット２００は、インターネット網である。移動体通信網３００は、携帯電話事業者の移動体通信網である。
【００５７】
次に、図１を参照して本実施例の動作について詳細に説明する。
【００５８】
１）エレベータ運用管理サーバ１０への顧客情報の事前登録
マンション住人（顧客）は、エレベータ運行管理システムを利用する前にエレベータ運用管理サーバ１１へ顧客情報を登録する必要がある。
【００５９】
顧客は、顧客端末２０あるいは顧客携帯端末３０からエレベータ運用管理サーバ１１へＷＥＢアクセスし、顧客情報を登録する。
【００６０】
具体的には、顧客は、顧客端末２０あるいは顧客携帯端末３０を操作して、エレベータ運用管理サーバ１１へアクセスし、顧客端末２０あるいは顧客携帯端末３０からエレベータ運用管理サーバ１１へ顧客情報を提供する。
【００６１】
エレベータ運用管理サーバ１１では、認証部１０ｂ１は、顧客情報を受け付けると、その顧客情報を顧客情報格納部１０ａ１に格納し、その顧客の認証ＩＤおよびＰＡＳＳＷＤを発行する。
【００６２】
認証部１０ｂ１は、それら認証ＩＤおよびＰＡＳＳＷＤを、顧客情報を提供した端末に送信すると共に、それら認証ＩＤおよびＰＡＳＳＷＤを、その顧客情報に関連づけて顧客情報格納部１０ａ１に格納する。なお、顧客情報を登録した顧客には、その顧客情報が格納された非接触ＩＣカード（不図示）が配布される。
【００６３】
２）エレベータの予約状況確認
顧客は、顧客端末２０あるいは顧客携帯端末３０を操作してエレベータ運用管理サーバ１１へＷＥＢアクセスし、認証ＩＤとＰＡＳＳＷＤを入力してエレベータ運行管理システムにログインする。
【００６４】
具体的には、認証部１０ｂ１は、端末からアクセスされた場合、認証ＩＤおよびＰＡＳＳＷＤを要求し、認証ＩＤおよびＰＡＳＳＷＤを受け付けた場合、顧客情報格納部１０ａ１を参照してそれら認証ＩＤとＰＡＳＳＷＤに基づいて顧客（端末）を認証して、その認証された端末をエレベータ運行管理システムにログインさせる。
【００６５】
ログイン後、顧客は、エレベータ１２および１３の予約空き情報を確認し、顧客が利用したい時間帯に空きがあればそのまま予約する。
【００６６】
具体的には、予約状況提供部１０ｂ２は、認証部１０ｂ１にて認証された端末から、予約画面要求を受け付けた場合、予約情報格納部１０ａ２内の予約情報を表す画面を、その端末に提供する。
【００６７】
図５は、予約情報を表す画面の一例を示した説明図である。
【００６８】
顧客は、その画面を見て予約空き情報を確認し、予約情報を端末に入力する。
【００６９】
図６は、入力された予約情報の一例を示した説明図である。
【００７０】
予約登録部１０ｂ３は、認証部１０ｂ１にて認証された端末から、予約情報を受け付けた場合、その予約情報が既に存在する予約情報と重なっていなければ、その予約情報を予約情報格納部１０ａ２に格納する。
【００７１】
また、追加登録制御部１０ｂ４は、認証部１０ｂ１にて認証された端末から、相乗り可否情報３ｅが相乗り可を表す予約情報格納部１０ａ２内の予約情報に、相乗り用の停止階を追加する旨の相乗情報を受け付けた場合、その予約情報にその停止階を追加する。
【００７２】
なお、追加登録制御部１０ｂ４は、予約情報格納部１０ａ２内の予約情報に対して、その予約情報が含む相乗許容数だけ相乗情報を受け付け、その予約情報に、その受け付けた相乗情報が示す停止階を追加する。相乗情報には、相乗情報を入力した顧客の認証ＩＤも含まれ、追加登録制御部１０ｂ４は、その認証ＩＤも、予約情報に追加する。
【００７３】
課金部１０ｂ５は、予約情報格納部１０ａ２に格納されている予約情報内の認証ＩＤにて識別される顧客に、その予約に対する課金を行い、その課金の情報を課金情報格納部１０ａ３に格納する。
【００７４】
例えば、課金部１０ｂ５は、個々の予約情報に対して一定の料金を課す。この場合、相乗りによって、１つの予約情報内に複数の認証ＩＤが含まれると、課金部１０ｂ５は、例えば、その１つの予約情報に対する料金を、その複数の認証ＩＤにて特定される複数の顧客に負担させる。
【００７５】
３）エレベータ利用方法
予約が完了した後、顧客が、利用日時に出発階でエレベータのＩＣカードリーダ４０に非接触ＩＣカードをかざすと、ＩＣカードリーダ４０は、非接触ＩＣカードから顧客情報を読み出し、エレベータ運用管理サーバ１１へ問合わせを行う。
【００７６】
認証部１０ｂ１は、ＩＣカードリーダ４０から顧客情報を受け付けると、その顧客情報に対応する認証ＩＤを顧客情報格納部１０ａ１から読み出し、その読み出された認証ＩＤを含むとともに利用日時が現在の日時となっている予約情報を、予約情報格納部１０ａ２から探す。なお、認証部１０ｂ１は、現在の日時を計時してもよいし、現在の日時を不図示の時計部から取得してもよい。
【００７７】
その予約情報があった場合のみ、認証部１０ｂ１は、エレベータ制御装置１１に許可情報を提供し、エレベータ制御装置１１は、許可情報を受け付けた場合、出発階でエレベータの扉を開く。このため、顧客は、エレベータに乗ることができる。
【００７８】
相乗する方がいる場合、すなわち、予約情報に停止階および認証ＩＤが追加されている場合、エレベータ制御装置１１は、エレベータを、予約があった停止階に停止させ、認証部１０ｂ１で認証された予約者がエレベータに乗り込む。
【００７９】
なお、予約情報に停止階および認証ＩＤが追加されていない場合、エレベータ制御装置１１は、出発階で顧客が乗ったエレベータを到着階に直行させる。
【００８０】
４）利用回数および課金確認
このサービスは、有料で利用数と課金情報がエレベータ運用管理サーバ１１から確認できる。
【００８１】
確認方法は、顧客が、顧客端末２０あるいは顧客携帯端末３０を用いてエレベータ運用管理サーバ１１へＷＥＢアクセスし、認証ＩＤとＰＡＳＳＷＤを入力してログインし、確認する。
【００８２】
具体的には、利用状況確認部１０ｂ６は、認証部１０ｂ１にて認証された端末から、利用状況確認要求を受け付けた場合、その端末のユーザ（顧客）の認証ＩＤを用いて、課金情報格納部１０ａ３から、そのユーザの利用数と課金情報とを読み取り、その利用数と課金情報を、利用状況確認要求を送信した端末に提供する。
【００８３】
５）エレベータ運行管理
エレベータ運用管理サーバ１１の転送部１０ｂ７は、予約情報格納部１０ａ２に格納された予約情報を運行情報としてエレベータ制御装置１１に転送する。
【００８４】
エレベータ制御装置１０は、受信した運行情報を元にエレベータ本体１２および１３へ運行指示を行う。
【００８５】
本実施例によれば、以下の効果を奏する。
【００８６】
超高層マンションのエレベータ渋滞を避けるサービスをマンション住人に提供することができる。
【００８７】
運行情報をＷＢＥで公開することで、運行情報を携帯端末から閲覧できて利用者の利便性が向上する。
【００８８】
超高層マンションのオーナへ高速エレベータの新たなビジネスとして提案できる。
【００８９】
また、追加登録制御部１０ｂ４は、相乗可否情報が相乗り可を表す予約情報に相乗り用の停止階を追加する旨の相乗情報を受け付けた場合、その予約情報にその停止階を追加する。
【００９０】
このため、エレベータでの相乗りを許容する人は、相乗り可を表す可否情報を設定すれば、相乗りが許容され、一方、エレベータでの相乗りを拒む人は、相乗り否を表す可否情報を設定すれば、相乗りが禁止される。よって、エレベータでの相乗りを拒む人および許容する人の双方に要望に応じることが可能になる。
【００９１】
また、本実施例では、追加登録制御部１０ｂ４は、予約情報格納部１０ａ２内の予約情報に対して、その予約情報が含む相乗許容数だけ相乗情報を受け付け、その予約情報に、その受け付けた相乗情報が示す停止階を追加する。
【００９２】
この場合、相乗りの許容数を制限でき、予約情報を入力した顧客の細かい要望にも応えることが可能になる。
【００９３】
また、本実施例では、追加登録制御部１０ｂ４は、相乗情報に含まれる認証ＩＤも予約情報に追加し、課金部１０ｂ５は、予約情報内の認証ＩＤにて識別される顧客に、その予約に対する課金を行う。
【００９４】
この場合、予約に対する料金を、その予約に基づいてエレベータを利用する顧客に課すことが可能になる。
【００９５】
また、本実施例では、課金部１０ｂ５は、個々の予約情報に対して一定の料金を課す。
【００９６】
この場合、相乗りを行う顧客の料金を、相乗りを行わない顧客より低くすることが可能になり、エレベータの効率的な運用に貢献する相乗りの顧客を料金面で優遇することが可能になる。
【００９７】
以上説明した実施例において、図示した構成は単なる一例であって、本発明はその構成に限定されるものではない。
【図面の簡単な説明】
【００９８】
【図１】本発明の一実施例のエレベータ予約システムを示したブロック図である。
【図２】顧客情報格納部１０ａ１に格納された顧客情報の一例を示した説明図である。
【図３】予約情報格納部１０ａ２に格納された予約情報の一例を示した説明図である。
【図４】課金情報格納部１０ａ３に格納された情報の一例を示した説明図である。
【図５】予約情報を表す画面の一例を示した説明図である。
【図６】予約情報の一例を示した説明図である。
【符号の説明】
【００９９】
１０      エレベータ運用管理サーバ
１０ａ    格納部
１０ａ１  顧客情報格納部
１０ａ２  予約情報格納部
１０ａ３  課金情報格納部
１０ａ４  プログラム格納部
１０ｂ    制御部
１０ｂ１  認証部
１０ｂ２  予約状況提供部
１０ｂ３  予約登録部
１０ｂ４  追加登録制御部
１０ｂ５  課金部
１０ｂ６  利用状況確認部
１０ｂ７  転送部
１１      エレベータ制御装置
１２〜１３  エレベータ
２０〜２４  予約端末ＰＣ
３０〜３１  予約端末
４０      非接触ＩＣカードリーダ
１００    ビル構内ＬＡＮ
２００    インターネット
３００    移動体通信網
【図１】
2008174319.tif 000003
【図２】
2008174319.tif 000004
【図３】
2008174319.tif 000005
【図４】
2008174319.tif 000006
【図５】
2008174319.tif 000007
【図６】
2008174319.tif 000008